(57)【要約】【課題】汎用性の高い情報分電盤を提供する。【解決手段】本体１０と、一つ以上の接続ユニット３０，４０と、を備える。本体１０は、入力信号を入力するための共通入力端子１１と、共通入力端子１１から入力された入力信号に基づいて、複数の分配信号を生成する分配器１３と、分配器１３により生成された複数の分配信号をそれぞれ入力するための複数の接続端子１４と、を備える。接続ユニット３０，４０，４０Ａ，９０は、複数の接続端子１４のいずれかに取りつけ可能な状態で接続される個別入力端子３２，４２，９２と、個別入力端子３２，４２，９２から入力された入力信号から生成される出力信号であって、複数種類の伝送媒体のうちの前記出力信号を伝送する伝送媒体に適した出力信号を出力する出力部３１，４１，９１と、を備える、【選択図】図５
2018170587.tif 000002
【特許請求の範囲】
【請求項１】
本体と、一つ以上の接続ユニットと、を備え、
前記本体は、
入力信号を入力するための共通入力端子と、
前記共通入力端子から入力された入力信号に基づいて、複数の分配信号を生成する分配器と、
前記分配器により生成された前記複数の分配信号をそれぞれ入力するための複数の接続端子と、を備え、
前記接続ユニットは、
前記複数の接続端子のいずれかに取りつけ可能な状態で接続される個別入力端子と、
前記個別入力端子から入力された分配信号から生成される出力信号であって、複数種類の伝送媒体のうちの前記出力信号を伝送する伝送媒体に適した前記出力信号を出力する出力部と、を備える、
ことを特徴とする、情報分電盤。
【請求項２】
前記本体は、内部に、前記接続端子に接続された前記接続ユニットの全部又は一部を保持する収容部を備える、
ことを特徴とする、請求項１に記載の情報分電盤。
【請求項３】
前記複数の接続端子は、前記本体の外部へ突出するように設けられている、
ことを特徴とする、請求項１に記載の情報分電盤。
【請求項４】
前記本体は、電源に接続された電源供給ラインと、
前記電源供給ラインと前記複数の接続端子のそれぞれとの間に設けられ、閉状態にて接続状態になり、開状態にて切断状態になる開閉部と、を備える、
ことを特徴とる、請求項１〜３のいずれか１項に記載の情報分電盤。
【請求項５】
前記開閉部は、当該開閉部に接続された前記接続端子に、前記接続ユニットが接続されていない場合には、前記開状態になっており、前記接続ユニットが接続された場合には、自動的に前記開状態から前記閉状態へ切り替えられる、
ことを特徴とする、請求項４に記載の情報分電盤。
【請求項６】
前記分配器は、電気信号である複数の分配信号を生成し、
前記複数種類の伝送媒体は、光信号を伝送する光ケーブル、電気信号を伝送する電気ケーブル、及び無線信号を伝送する電波のいずれかであり、
前記接続ユニットは、前記分配信号から光信号である前記出力信号を生成する光ユニット、前記分配信号をそのまま前記出力信号とする電気ユニット、増幅した前記分配信号を前記出力信号とする増幅ユニット、及び前記分配信号から無線信号である前記出力信号を生成する無線ユニット、のいずれかである、
ことを特徴とする、請求項１〜５のいずれか１項に記載の情報分電盤。
【請求項７】
前記分配器は、光信号である複数の分配信号を生成し、
前記複数種類の伝送媒体は、光信号を伝送する光ケーブル、電気信号を伝送する電気ケーブル、及び無線信号を伝送する電波のいずれかであり、
前記接続ユニットは、前記分配信号をそのまま前記出力信号とする光ユニット、前記分配信号から電気信号である前記出力信号を生成する電気ユニット、及び前記分配信号から無線信号である前記出力信号を生成する無線ユニット、のいずれかである、
ことを特徴とする、請求項１〜５のいずれか１項に記載の情報分電盤。
【請求項８】
前記共通入力端子は、電気信号を入力するための端子である、
ことを特徴とする、請求項１〜６のいずれか１項に記載の情報分電盤。
【請求項９】
前記共通入力端子と前記分配器との間に前記共通入力端子から入力された前記電気信号を増幅する増幅器を備える、
ことを特徴とする請求項８に記載の情報分電盤。
【発明の詳細な説明】
【技術分野】
【０００１】
本発明は、入力信号から伝送路に応じた出力信号を生成して出力する情報分電盤に関する。
【背景技術】
【０００２】
入力された電気信号を光信号に変換し、低損失な光ケーブルを介して送信する技術が知られている。例えば、特許文献１に記載のＲＦ合成分配装置は、親局と子局との間を光ケーブルで接続して光信号を伝送するための装置であり、親局に入力されたＲＦ信号を光信号に変換し、変換した光信号を光カプラで分配して、複数の光ケーブルを介して子局へ送信する。
【先行技術文献】
【特許文献】
【０００３】
【特許文献１】特開２００６−３５２６９２号公報
【発明の概要】
【発明が解決しようとする課題】
【０００４】
ところで、建物内の１か所で受信した受信信号を、建物内に分散して設けられた複数の受信装置へ伝送する際にも、損失を低減するために光ケーブルを用いることが考えられる。しかしながら、全ての受信装置が光信号に対応している建物もあれば、光信号に対応している受信装置と対応していない受信装置とが混在している建物もある。そのため、上記ＲＦ合成分配装置のように、出力信号が全て光信号に固定されていると、適用できる建物が限られてしまう。
【０００５】
本発明は、上記実情に鑑みてなされたものであり、汎用性の高い情報分電盤を提供する。
【課題を解決するための手段】
【０００６】
請求項１に記載の発明は、情報分電盤であって、本体と、一つ以上の接続ユニットと、を備え、前記本体は、入力信号を入力するための共通入力端子と、前記共通入力端子から入力された入力信号に基づいて、複数の分配信号を生成する分配器と、前記分配器により生成された前記複数の分配信号をそれぞれ入力するための複数の接続端子と、を備え、前記接続ユニットは、前記複数の接続端子のいずれかに取りつけ可能な状態で接続される個別入力端子と、前記個別入力端子から入力された分配信号から生成される出力信号であって、複数種類の伝送媒体のうちの前記出力信号を伝送する伝送媒体に適した前記出力信号を出力する出力部と、を備える、ことを特徴とする。
【０００７】
請求項２に記載の発明は、請求項１に記載の情報分電盤であって、前記本体は、内部に、前記接続端子に接続された前記接続ユニットの全部又は一部を保持する収容部を備える、ことを特徴とする。
【０００８】
請求項３に記載の発明は、請求項１に記載の情報分電盤であって、前記複数の接続端子は、前記本体の外部へ突出するように設けられている、ことを特徴とする。
請求項４に記載の発明は、請求項１〜３のいずれか１項に記載の情報分電盤であって、前記本体は、電源に接続された電源供給ラインと、前記電源供給ラインと前記複数の接続端子のそれぞれとの間に設けられ、閉状態にて接続状態になり、開状態にて切断状態になる開閉部と、を備える。
【０００９】
請求項５に記載の発明は、請求項４に記載の情報分電盤であって、前記開閉部は、当該開閉部に接続された前記接続端子に、前記接続ユニットが接続されていない場合には、前記開状態になっており、前記接続ユニットが接続された場合には、自動的に前記開状態から前記閉状態へ切り替えられる、ことを特徴とする。
【００１０】
請求項６に記載の発明は、請求項１〜５のいずれか１項に記載の情報分電盤であって、前記分配器は、電気信号である複数の分配信号を生成し、前記複数種類の伝送媒体は、光信号を伝送する光ケーブル、電気信号を伝送する電気ケーブル、及び無線信号を伝送する電波のいずれかであり、前記接続ユニットは、前記分配信号から光信号である前記出力信号を生成する光ユニット、前記分配信号をそのまま前記出力信号とする電気ユニット、増幅した前記分配信号を前記出力信号とする増幅ユニット、及び前記分配信号から無線信号である前記出力信号を生成する無線ユニット、のいずれかである、ことを特徴とする。
【００１１】
請求項７に記載の発明は、請求項１〜５のいずれか１項に記載の情報分電盤であって、前記分配器は、光信号である複数の分配信号を生成し、前記複数種類の伝送媒体は、光信号を伝送する光ケーブル、電気信号を伝送する電気ケーブル、及び無線信号を伝送する電波のいずれかであり、前記接続ユニットは、前記分配信号をそのまま前記出力信号とする光ユニット、前記分配信号から電気信号である前記出力信号を生成する電気ユニット、及び前記分配信号から無線信号である前記出力信号を生成する無線ユニット、のいずれかである、ことを特徴とする。
【００１２】
請求項８に記載の発明は、請求項１〜６のいずれか１項に記載の情報分電盤であって、前記共通入力端子は、電気信号を入力するための端子である、ことを特徴とする。
請求項９に記載の発明は、請求項８に記載の情報分電盤であって、前記共通入力端子と前記分配器との間に前記共通入力端子から入力された前記電気信号を増幅する増幅器を備える、ことを特徴とする。
【発明の効果】
【００１３】
請求項１に記載の発明によれば、接続端子に接続された接続ユニットにより、個別入力端子に入力された電気信号から、複数種類の伝送媒体うちの出力信号を伝送する伝送媒体に応じた出力信号が生成され、生成された出力信号が出力される。また、接続ユニットは、取りつけ可能な状態で接続端子に接続される。つまり、複数の接続端子のそれぞれには、情報分電盤に接続する伝送先の数及び伝送媒体の種類に応じて、伝送媒体に応じた出力信号を生成する接続ユニットを接続したり、接続ユニットを接続しなかったりすることができる。したがって、高い汎用性を実現することができる。
【００１４】
請求項２に記載の発明によれば、接続ユニットの全部又は一部が本体の収容部に保持されるため、本体を金属で形成すれば、高いＥＭＣ性能を実現することができる。
請求項３に記載の発明によれば、本体の外側に接続端子が突出しているため、接続端子に接続ユニットを着脱しやすい。
【００１５】
請求項４に記載の発明によれば、開閉部を閉状態に操作することで、電源供給ラインから接続端子を介して接続ユニットへ給電することができる。
請求項５に記載の発明によれば、接続ユニットを情報分電盤に接続するだけで、自動的に電源供給ラインから接続端子を介して接続ユニットへ給電される。よって、ユーザは、動作電源の必要な接続ユニットであっても、動作電源の必要ない接続ユニットと同様に、情報分電盤に接続するだけで使用することができる。
【００１６】
請求項６に記載の発明によれば、接続端子に、光ユニット、電気ユニット、増幅ユニット、及び無線ユニットのいずれかを接続することにより、電気信号である分配信号から、光信号である出力信号、分配信号そのままの出力信号、分配信号を増幅した出力信号、及び無線信号である出力信号のいずれかを生成して出力することができる。
【００１７】
請求項７に記載の発明によれば、接続端子に、光ユニット、電気ユニット、及び無線ユニットのいずれかを接続することにより、光信号である分配信号から、分配信号そのままの出力信号、電気信号である出力信号、及び無線信号である出力信号のいずれかを生成して出力することができる。
【００１８】
請求項８に記載の発明によれば、衛星テレビ放送の受信用アンテナや、地上波テレビ放送の受信用アンテナで受信された受信信号を入力して、伝送媒体に応じた出力信号を出力することができる。
【００１９】
請求項９に記載の発明によれば、入力信号を増幅してから分配することができる。すなわち、各接続ユニットに増幅器を設ける必要がない。
【図面の簡単な説明】
【００２０】
【図１】第１施形態に係る情報分電盤を備えたテレビ放送信号の伝送システム全体の構成を示す図である。
【図２】情報分電盤へ入力されるテレビ放送信号の他の例を示す図である。
【図３】情報分電盤へ入力されるテレビ放送信号の他の例を示す図である。
【図４】情報分電盤へ入力されるテレビ放送信号の他の例を示す図である。
【図５】第１実施形態に係る情報分電盤の概略構成を示す図である。
【図６】情報分電盤に直接給電する場合の情報分電盤の構成を示す図である。
【図７】情報分電盤の自動給電スイッチがオフ状態になっている様子を示す図である。
【図８】情報分電盤へのＥ／Ｏユニットの接続に伴い、自動給電スイッチがオン状態になった様子を示す図である。
【図９】入力信号に電源を重畳させて給電する場合の情報分電盤の構成を示す図である。
【図１０】Ｅ／Ｏユニットへ直接電源を供給する様子の一例を示す図である。
【図１１】第１電気出力ユニット又は第２電気出力ユニットの出力端子から給電する場合の情報分電盤の構成を示す図である。
【図１２】Ｅ／Ｏユニットへ電源を供給する様子の一例を示す図である。
【図１３】Ｅ／Ｏユニットへ電源を供給する様子の一例を示す図である。
【図１４】第２実施形態に係る情報分電盤の概略構成を示す図である。
【図１５】第３実施形態に係る情報分電盤の概略構成を示す図である。
【図１６】他の実施形態に係る情報分電盤の概略構成を示す図である。
【図１７】他の実施形態に係る情報分電盤の概略構成を示す図である。
【図１８】ノブの別例を示す図である。
【図１９】給電用コネクタを備えたＥ／Ｏユニットを示す図である。
【発明を実施するための形態】
【００２１】
以下、図面を参照しながら、発明を実施するための形態を説明する。
（第１実施形態）
＜システム構成＞
まず、本実施形態に係るテレビ放送信号の伝送システム１００の構成について、図１を参照して説明する。伝送システム１００は、建造物や施設の一箇所で受信されたテレビ放送信号を、建造物や施設内に分散して設けられた複数のテレビ６１，７１，２１０まで伝送するシステムである。
【００２２】
伝送システム１００は、アンテナ２０、共通同軸ケーブル２１、情報分電盤５０、個別光ケーブル６０、個別同軸ケーブル７０、及びテレビ６１，７１，２１０を備える。
アンテナ２０は、ＢＳ、ＣＳ等の衛星テレビ放送の受信用のパラボラアンテナや、地上波テレビ放送の受信用のＵＨＦアンテナであり、衛星放送信号や地上放送信号といったテレビ放送信号を受信する。
【００２３】
共通同軸ケーブル２１は、アンテナ２０の出力端子と情報分電盤５０の共通入力端子１１とに接続されており、アンテナ２０で受信されたＲＦ電気信号である受信信号を情報分電盤５０へ伝送する。本実施形態では、アンテナ２０で受信された受信信号が、情報分電盤５０に入力される入力信号となる。
【００２４】
なお、共通入力端子１１へ入力される入力信号の種類や数は問わない。例えば、図２に示すように、衛星テレビ放送の受信用のパラボラアンテナ２０ａで受信された受信信号と、地上波テレビ放送の受信用のＵＨＦアンテナ２０ｂで受信された受信信号とを混合器２２で混合し、混合した信号を共通入力端子１１への入力信号としてもよい。また、図３に示すように、パラボラアンテナ２０ａで受信された受信信号と、ＣＡＴＶシステムのヘッドエンドから同軸ケーブルを介して電気入力端子２０ｃへ入力された電気信号とを混合器２２で混合し、混合した信号を共通入力端子１１への入力信号としてもよい。また、図４に示すように、ヘッドエンドから光ケーブルを介して光入力端子２０ｄへ入力された光信号を、光／電気変換部（以下、Ｏ／Ｅ部）２０ｅで電気信号に変換し、変換した電気信号と、パラボラアンテナ２０ａで受信された受信信号とを混合器２２で混合して、混合した信号を共通入力端子１１への入力信号としてもよい。
【００２５】
図１に戻り、情報分電盤５０は、共通入力端子１１から入力された入力信号から、テレビ６１，７１，２１０までの伝送媒体に適した出力信号を生成して出力する。本実施形態では、テレビ６１は、光信号を入力するための光入力端子を備え、テレビ７１は、電気信号を入力するための電気入力端子を備えている。また、テレビ２１０は、無線信号を入力するための無線入力端子を備えている。つまり、情報分電盤５０からテレビ６１，７１，２１０までの伝送媒体は、光信号を伝送する光伝送路と、電気信号を伝送する電気伝送路と、無線信号を伝送する電波とが混在している。よって、情報分電盤５０は、入力信号から光出力信号を生成して光伝送路に出力するとともに、入力信号から電気出力信号を生成して電気伝送路に出力する。また、情報分電盤５０は、入力信号から無線信号を生成して外部へ放射する。なお、情報分電盤５０の詳細については後述する。
【００２６】
個別光ケーブル６０は、光伝送路を構成しており、情報分電盤５０から出力された光出力信号をテレビ６１へ伝送する。また、個別同軸ケーブル７０は、電気伝送路を構成しており、情報分電盤５０から出力された電気出力信号をテレビ７１へ伝送する。
【００２７】
テレビ６１は、光入力端子を備え、個別光ケーブル６０を介して光入力端子に入力された光信号を電気信号に変換して用いる。また、テレビ７１は、電気入力端子を備え、個別同軸ケーブル７０を介して電気入力端子に入力された電気信号を用いる。テレビ２１０は、無線入力端子を備え、電波を介して無線入力端子に入力された無線信号を用いる。
【００２８】
＜情報分電盤＞
次に、情報分電盤５０の構成について、図１及び図５を参照して説明する。情報分電盤５０は、本体１０と、電気／光変換ユニット（以下、Ｅ／Ｏユニット）３０と、第１電気出力ユニット４０と、第２電気出力ユニット４０Ａと、無線ユニット９０と、を備える。
【００２９】
本体１０は、金属製の直方形状の筐体であり、図１に示すように、正面に開閉扉１８を備える。開閉扉１８は、本体１０の正面の下端から中央付近にわたって設けられており、下から上に向かって開く扉である。図５は、開閉扉１８を取り外した状態を示している。そして、開閉扉１８の内側には、収容部１５が形成されている。
【００３０】
収容部１５は、本体１０の背面を底面とし、底面から本体１０の正面に向かって立設した４つの側面で囲まれた空間である。そして、収容部１５の上面側の側面から収容部１５へ向かって突出するように、後述する複数の接続端子１４が設けられている。複数の接続端子１４は、収容部１５の上面側の側面に沿う方向に所定の間隔で配列されており、収容部１５は、接続端子１４に接続されたＥ／Ｏユニット３０、第１電気出力ユニット４０、第２電気出力ユニット４０Ａ、及び無線ユニット９０を着脱可能に保持する。以下では、Ｅ／Ｏユニット３０、第１電気出力ユニット４０、第２電気出力ユニット４０Ａ、及び無線ユニット９０を総称して、接続ユニットＵと称する。
【００３１】
さらに、収容部１５には、底面から本体１０の正面に向かって突出するように、案内用突起１７が設けられている。案内用突起１７は、略直方形状に形成されており、長手方向の長さが、接続ユニットＵの長手方向の長さよりも短く形成されている。そして、案内用突起１７は、長手方向が収容部１５の左右の側面に沿う方向となるように、隣り合う接続端子１４と接続端子１４との間、一番左側の接続端子１４と左側面との間、及び一番右側の接続端子と右側面との間に設けられている。よって、収容部１５に挿入された接続ユニットＵは、接続対象の接続端子１４を挟むように設けられた左右の案内用突起１７により、接続対象の接続端子１４へ案内される。したがって、接続ユニットＵを、接続端子１４に容易に接続することができる。
【００３２】
また、本体１０は、共通入力端子１１、増幅器１２、分配器１３、複数の接続端子１４を備える。
共通入力端子１１は、本体１０の上面に設けられており、共通同軸ケーブル２１を介して伝送された受信信号を、入力信号として入力するための端子である。
【００３３】
増幅器１２は、本体１０の内部において、共通入力端子１１と分配器１３との間に設けられており、共通入力端子１１から入力された入力信号を増幅し、増幅した入力信号を分配器１３へ出力する。
【００３４】
分配器１３は、本体１０の内部に設けられており、入力された入力信号から、複数の分配信号を生成する。具体的には、分配器１３は、入力信号から接続端子１４の数分の分配信号を生成する。本実施形態では、本体１０は５個の接続端子１４を備えているため、分配器１３は、入力信号から５個の分配信号を生成する。
【００３５】
接続端子１４は、収容部１５へ向かって突出するように設けられており、分配器１３により生成された５個の分配信号を、それぞれ入力するための５個の端子である。接続端子１４は、金属製の筐体の内部に設けられているため、どのようなコネクタでもよい。つまり、接続端子１４は、シールド性の高い同軸コネクタでもよいし、同軸コネクタよりもシールド性の低い他のコネクタでもよい。
【００３６】
接続端子１４には、テレビ６１，７１，２１０までの伝送先の数及び伝送媒体の種類に応じて、接続ユニットＵのいずれかが接続される、あるいは、何も接続されない。例えば、テレビ放送信号の伝送先であるテレビが、すべて光入力端子を備えて光信号に対応している場合は、接続端子１４にはＥ／Ｏユニット３０のみが接続される。一方、テレビがすべて光信号に対応していない場合は、接続端子１４には第１電気出力ユニット４０、第２電気出力ユニット４０Ａ及び無線ユニット９０のいずれかが接続される。つまり、必要な分だけ出力信号を光信号にできるため、安価で拡張性の高い伝送システム１００を実現できる。また、電気信号や無線信号の出力も選択できるようにすることで、既存設備を有効に利用することができる。
【００３７】
本実施形態に係る伝送システム１００では、光信号に対応した１つのテレビ６１と、電気信号に対応した２つのテレビ７１と、無線信号に対応した１つのテレビ２１０が存在する。よって、１個の接続端子１４にＥ／Ｏユニット３０が接続され、１個の接続端子１４に無線ユニット９０が接続される。また、２個の接続端子１４に、第１電気出力ユニット４０又は第２電気出力ユニット４０Ａが接続される。
【００３８】
次に、接続ユニットＵのそれぞれについて説明する。Ｅ／Ｏユニット３０は、略直方形状のユニットで、個別入力端子３２、出力端子３１、及び発光素子を備える。個別入力端子３２は接続端子１４に合わせた端子となっており、出力端子３１は光出力端子となっている。そして、個別入力端子３２は、接続端子１４に取りつけ可能な状態で接続され、出力端子３１は、個別光ケーブル６０に接続される。発光素子は、個別入力端子３２から入力された分配信号に応じた光信号を出力して、分配信号から光出力信号を生成する。つまり、Ｅ／Ｏユニットは、光出力信号を生成し、生成した光出力信号を出力端子３１から個別光ケーブル６０へ出力する。さらに、Ｅ／Ｏユニット３０は、個別入力端子３２から入力された分配信号を増幅する増幅器を備えていてもよい。つまり、Ｅ／Ｏユニット３０は、入力信号を増幅し、増幅した分配信号から光出力信号を生成してもよい。本実施形態では、Ｅ／Ｏユニット３０が光ユニットに相当する。
【００３９】
第１電気出力ユニット４０は、略直方形状のユニットで、個別入力端子４２、出力端子４１、及び増幅器を備える。個別入力端子４２は接続端子１４に合わせた端子となっており、出力端子４１は同軸コネクタとなっている。そして、個別入力端子４２は、接続端子１４に取りつけ可能な状態で接続され、出力端子４１は、個別同軸ケーブル７０に接続される。第１電気出力ユニット４０は、増幅器により個別入力端子４２から入力された分配信号を増幅して電気出力信号を生成し、生成した電気出力信号を出力端子４１から個別同軸ケーブル７０へ出力する。また、第２電気出力ユニット４０Ａは、第１電気出力ユニット４０から増幅器を除いた構成になっており、分配信号をそのまま電気出力信号として出力する。本実施形態では、第１電気出力ユニット４０が増幅ユニットに相当し、第２電気出力ユニット４０Ａが電気ユニットに相当する。
【００４０】
無線ユニット９０は、略直方形状のユニットで、個別入力端子９２、アンテナ９１、及び無線送信機を備える。個別入力端子９２は、接続端子１４に合わせた端子となっており、接続端子１４に取りつけ可能な状態で接続される。無線送信機は、個別入力端子９２から入力された分配信号から無線信号を生成する。アンテナ９１は、生成された無線信号を情報分電盤５０の外へ放射する。接続ユニットＵは、それぞれ、接続端子１４に取りつけたり、取り外したりできるようになっている。
【００４１】
なお、Ｅ／Ｏユニット３０が増幅器を備え、第２電気出力ユニット４０Ａ以外の接続ユニットＵを接続する場合、本体１０は、増幅器１２を備えていなくてもよい。また、本体１０が増幅器１２を備えている上に、接続ユニットＵが増幅器を備えていてもよい。
【００４２】
また、接続端子１４のうち、接続ユニットＵのいずれも接続しない空端子は、ダミー端子にしてもよい。すなわち、図５に示すように、接続端子１４のうちの空端子には、終端抵抗器８０を接続してもよい。
【００４３】
収容部１５には、Ｅ／Ｏユニット３０の出力端子３１及び第１電気出力ユニット４０，４０Ａの出力端子４１が完全に収容される。出力端子３１に接続された個別光ケーブル６０、及び出力端子４１に接続された個別同軸ケーブル７０は、本体１０の底面に形成されたケーブル孔から外部へ取り出される。
【００４４】
なお、本実施形態では、Ｅ／Ｏユニット３０、第１電気出力ユニット４０、第２電気出力ユニット４０Ａ、及び無線ユニット９０が接続ユニットに相当する。また、出力端子３１、出力端子４１、及びアンテナ９１が出力部に相当する。
【００４５】
＜接続ユニットへの電源供給＞
接続ユニットＵのうち、発光素子を備えるＥ／Ｏユニット３０、増幅器を備える第１電気出力ユニット４０、及び送信機を備える無線ユニット９０は、動作電源を必要とする。よって、動作電源が必要な接続ユニットＵへの電源供給について、図６〜図１３を参照して説明する。ここでは、Ｅ／Ｏユニット３０への電源供給の６つの例について説明するが、他の動作電源が必要な接続ユニットＵへの電源供給も同様にすればよい。
【００４６】
図６に、電源供給の第１例を示す。第１例では、図６に示すように、本体１０は、電源回路５３と、接続端子１４のそれぞれに接続された複数の電源分離フィルタ５５ａと、電源回路５３に接続された電源供給ラインＬａと、電源供給ラインＬａと電源分離フィルタ５５ａのそれぞれとに接続された複数のスイッチＳＷａと、を備える。スイッチＳＷａは、閉状態すなわちオン状態で接続状態となり、開状態すなわちオフ状態で切断状態となる。
【００４７】
電源回路５３は、コネクタ５４が電源コンセントに差し込まれることで、外部電源の供給を受け、供給された外部電源から直流電源を生成する。そして、電源回路５３は、生成した直流電源を、電源供給ラインＬａ、オン状態のスイッチＳＷａ及び電源分離フィルタ５５ａを介して、各接続端子１４へ供給する。スイッチＳＷａがオフ状態の場合には、各接続端子１４へ直流電源は供給されない。
【００４８】
ここで、スイッチＳＷａは、Ｅ／Ｏユニット３０の個別入力端子３２を接続端子１４に接続させた際に、自動的にオフ状態からオン状態に切り替わるようになっている。詳しくは、図７に示すように、本体１０は、接続端子１４と同様に、収容部１５へ向かって突出するように設けられたノブＫｎを備える。ノブＫｎは、接続端子１４ごとに設けられており、各接続端子１４の近傍に設けられている。ノブＫｎの一端は収容部１５へ突出しており、ノブＫｎの他端は、バネＳｐの一端に取り付けられている。バネＳｐの他端は、本体１０に固定されたストッパに取り付けられている。つまり、ノブＫｎは、バネＳｐにより、収容部１５へ向けて付勢されている。また、ノブＫｎは、スイッチＳＷａに摺動可能に取り付けられたスイッチつまみＳＷａｐに固定されている。
【００４９】
図８に示すように、個別入力端子３２を接続端子１４に接続すると、ノブＫｎはＥ／Ｏユニット３０の上面により収容部１５外へ押され、バネＳｐの付勢方向と反対方向に移動する。これに伴い、スイッチつまみＳＷａｐが移動し、スイッチＳＷａがオフ状態からオン状態に切り替わる。また、図８に示すように、動作電源の必要ない第２電気出力ユニット４０Ａには、個別入力端子４２を接続端子１４に接続してもスイッチＳＷａがオン状態にならないように、上面にノブＫｎを収容する凹部４３が形成されていてもよい。本実施形態では、スイッチＳＷａが開閉部に相当する。
【００５０】
図６に戻り、電源回路５３と共通入力端子１１とは、スイッチＳＷｂ、電源供給ラインＬｂ、及び電源分離フィルタ５５ｂを介して接続されている。共通入力端子１１に、動作電源が必要なパラボラアンテナ２０ａ又はＯ／Ｅ部２０ｅが接続されている場合には、スイッチＳＷｂをオン状態にして、電源回路５３から、スイッチＳＷｂ、電源供給ラインＬｂ、電源分離フィルタ５５ｂ及び共通入力端子１１を介して、パラボラアンテナ２０ａ又はＯ／Ｅ部２０ｅへ直流電源を供給する。共通入力端子１１に、動作電源が必要ないＵＨＦアンテナ２０ｂが接続されている場合には、スイッチＳＷｂをオフ状態にする。
【００５１】
なお、共通入力端子１１から入力された入力信号は、電源分離フィルタ５５ｂを介して増幅器１２へ入力され、分配器１３で分配されて、電源分離フィルタ５５ａを介して接続端子１４に入力される。つまり、接続端子１４には、電源分離フィルタ５５ａを介して、分配信号及び電源が入力されうる。
【００５２】
次に、図９に、電源供給の第２例を示す。第２例では、図９に示すように、Ｅ／Ｏユニット３０は、共通入力端子１１を介して、入力信号に重畳された直流電源の供給を受ける。本体１０は、共通入力端子１１に接続された電源分離フィルタ５５ｂと、接続端子１４のそれぞれに接続された複数の電源分離フィルタ５５ａと、電源分離フィルタ５５ｂに接続された電源供給ラインＬａと、電源供給ラインＬａと電源分離フィルタ５５ａのそれぞれとに接続された複数のスイッチＳＷａと、を備える。
【００５３】
スイッチＳＷａは、第１例のスイッチＳＷａと同様のスイッチである。スイッチＳＷａがオン状態になると、共通入力端子１１から、電源分離フィルタ５５ｂ、電源供給ラインＬａ及び電源分離フィルタ５５ａを介して、接続端子１４へ電源が供給される。
【００５４】
次に、図１０に、電源供給の第３例を示す。第３例では、図１０に示すように、Ｅ／Ｏユニット３０が発光素子に接続された電源回路５３を備え、電源回路５３が発光素子に直流電源を供給する。電源回路５３は、コネクタ５４が電源コンセントに差し込まれることで、外部電源の供給を受け、供給された外部電源から直流電源を生成して、直流電源を発光素子に供給する。
【００５５】
また、本体１０は、接続端子１４の近傍に受電用コネクタ１４１を備え、Ｅ／Ｏユニット３０は上面から上方に突出した給電用コネクタ３３を備えていてもよい。そして、第１例のように、共通入力端子１１に、動作電源が必要なパラボラアンテナ２０ａ又はＯ／Ｅ部２０ｅが接続されている場合には、電源回路５３から、給電用コネクタ３３、受電用コネクタ１４１及び共通入力端子１１を介して、動作電源を供給してもよい。
【００５６】
図１１に電源供給の第４例を示す。第４例では、図１１に示すように、Ｅ／Ｏユニット３０は、第１電気出力ユニット４０又は第２電気出力ユニット４０Ａを介して、直流電源の供給を受ける。第１電気出力ユニット４０又は第２電気出力ユニット４０Ａは、出力端子４１に接続される個別同軸ケーブル７０を介して直流電源の供給を受ける。
【００５７】
本体１０は、接続端子１４のそれぞれに接続された複数の電源分離フィルタ５５ａと、電源供給ラインＬａと、電源供給ラインＬａと電源分離フィルタ５５ａのそれぞれとに接続された複数のスイッチＳＷａと、を備える。スイッチＳＷａは、第１例のスイッチＳＷａと同様のスイッチである。さらに、本体１０は、共通入力端子１１に接続された電源分離フィルタ５５ｂと、電源分離フィルタ５５ｂに接続された電源供給ラインＬｂと、電源供給ラインＬｂと電源供給ラインＬａとに接続されたスイッチＳＷｂとを備える。
【００５８】
なお、第４例では、第２電気出力ユニット４０Ａには、ノブＫｎを収容する凹部へ形成されておらず、第２電気出力ユニット４０Ａの個別入力端子４２を接続端子１４に接続すると、スイッチＳＷａがオン状態になる。また、図１１に示すように、第２電気出力ユニット４０Ａの増幅器は、電源分離フィルタ５５ｃを介して個別入力端子４２に接続されているとともに、電源分離フィルタ５５ｄを介して出力端子４１に接続されている。そして、電源分離フィルタ５５ｃと電源分離フィルタ５５ｄは、増幅器を介さずに直接接続されている。つまり、第２電気出力ユニット４０Ａは、増幅器を迂回するバイパス回路を備える。そのため、出力端子４１から入力された直流電源は、増幅器を迂回して、電源分離フィルタ５５ｄ及び電源分離フィルタ５５ｃを介して、個別入力端子４２に入力される。
【００５９】
第１電気出力ユニット４０又は第２電気出力ユニット４０Ａが接続端子１４に接続されると、第１電気出力ユニット４０又は第２電気出力ユニット４０Ａから、電源分離フィルタ５５ａ、スイッチＳＷａを介して、電源供給ラインＬａに直流電源が供給される。そして、Ｅ／Ｏユニット３０が接続端子１４に接続されると、電源供給ラインＬａから、スイッチＳＷａ及び電源分離フィルタ５５ａを介して、Ｅ／Ｏユニット３０に直流電源が供給される。
【００６０】
また、スイッチＳＷｂは、第１例のスイッチＳＷｂと同じ条件でオン状態にされる。これにより、電源供給ラインＬａから、スイッチＳＷｂ、電源供給ラインＬｂ及び共通入力端子１１を介して、パラボラアンテナ２０ａ又はＯ／Ｅ部２０ｅへ直流電源が供給される。
【００６１】
図１２に電源供給の第５例を示す。第５例では、図１２に示すように、Ｅ／Ｏユニット３０は、テレビ６１が備える光／電気変換部（以下、Ｏ／Ｅ部）６７から、電源供給を受ける。Ｏ／Ｅ部６７は、受光素子を備え、入力された光信号を電気信号に変換する。Ｏ／Ｅ部６７は、Ｅ／Ｏユニット３０の出力端子３１と個別光ケーブル６０で接続されているとともに、Ｅ／Ｏユニット３０の発光素子と電源線６５で接続されている。テレビ６１は、電源がＯＮされることで外部電源の供給を受け、供給された外部電源から直流電源を生成して、直流電源をＯ／Ｅ部６７に供給する。そして、Ｏ／Ｅ部６７は、電源線６５を介して、直流電源をＥ／Ｏユニットへ供給する。
【００６２】
また、図１３に電源供給の第６例を示す。第６例では、図１３に示すように、Ｅ／Ｏユニット３０は、Ｏ／Ｅ部６７に接続された電源回路５３から、Ｏ／Ｅ部６７を介して電源供給を受ける。電源回路５３は、コネクタ５４が電源コンセントに差し込まれることで、外部電源の供給を受け、供給された外部電源から直流電源を生成する。そして、電源回路５３は、生成した直流電源を、Ｏ／Ｅ部６７及び電源線６５を介してＥ／Ｏユニット３０へ供給するとともに、Ｏ／Ｅ部６７を介してテレビ６１へ供給する。
【００６３】
＜効果＞
以上説明した第１実施形態によれば、以下の効果が得られる。
（１）情報分電盤５０に接続する伝送先の数及び伝送媒体の種類に応じて、接続端子１４のそれぞれに、接続ユニットＵのいずれかを接続したり、何も接続しなかったりすることで、入力信号から伝送先の数及び伝送媒体の種類に応じた出力信号を生成することができる。
【００６４】
（２）接続ユニットＵを、金属製の本体１０の収容部１５に収容したことにより、高いＥＭＣ性能を実現することができる。
（３）接続ユニットＵの接続端子１４への接続に伴い、スイッチＳＷａが自動的にオフ状態からオン状態へ切り替わるため、自動的に接続ユニットＵへ直流電源を供給することができる。
【００６５】
（４）接続ユニットＵのいずれかを接続端子１４に接続することで、光出力信号、増幅していない電気出力信号、増幅した電気出力信号、及び無線信号のいずれかを、伝送媒体へ出力することができる。
【００６６】
（５）共通入力端子１１を電気信号入力用の端子としたことにより、衛星放送信号や地上放送信号から、伝送路に応じた出力信号を生成して、生成した出力信号を伝送路に出力することができる。
【００６７】
（第２実施形態）
＜第１実施形態との相違点＞
第２実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００６８】
前述した第１実施形態に係る情報分電盤５０の本体１０は、接続ユニットＵを収容する収容部１５を備えていた。これに対し、第２実施形態に係る情報分電盤５０Ａの本体１０Ａは、収容部１５を備えていない点で、本体１０と相違する。
【００６９】
第２実施形態に係る本体１０Ａの構成について、図１４を参照して説明する。本体１０Ａは、第１実施形態に係る本体１０と同様に、共通入力端子１１、増幅器１２、及び分配器１３を備える。そして、本体１０Ａは、本体１０Ａの下面から外側に突出するように設けられた複数の接続端子１４Ａを備える。
【００７０】
接続ユニットＵの個別入力端子３２，４２，９２は、本体１０Ａの下面から突出した接続端子１４Ａに接続される。つまり、接続ユニットＵは、本体１０Ａの内部には保持されず、本体１０Ａの下面の下側に保持される。この場合、ＥＭＣ対策として、接続端子１４Ａ及び個別入力端子３２，４２，９２には、シールド性の高いコネクタ、例えば同軸コネクタを用いることが望ましい。
【００７１】
＜効果＞
以上説明した第２実施形態によれば、前述した第１実施形態の効果（１），（３）〜（５）に加え、以下の効果が得られる。
【００７２】
（６）接続端子１４Ａが本体１０の外側に突出しているため、接続端子１４Ａに、接続ユニットを着脱しやすい。
（第３実施形態）
＜第１実施形態との相違点＞
第３実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００７３】
第３実施形態に係る情報分電盤５０Ｂの本体１０Ｂの構成について、図１５を参照して説明する。本体１０Ｂの構成は、本体１０と本体１０Ｂとの中間のタイプであり、本体１０Ｂは収容部１５よりも小さい収容部１５Ｂを備える。収容部１５Ｂの上下方向の長さは、接続ユニットＵの長手方向の長さよりも短くなっている。また、本体１０Ｂの底面には、孔が形成されている。そのため、情報分電盤５０Ｂに接続された接続ユニットＵは、その一部分が本体１０Ｂの底面の孔から下方へ飛び出すように、収容部１５Ｂに保持される。
【００７４】
＜効果＞
以上説明した第３実施形態によれば、前述した第１実施形態の効果（１）〜（５）に加え、以下の効果が得られる。
【００７５】
（７）収容部１５Ｂの大きさを、高いＥＭＣ性能が得られる必要最小限の大きさにすることができる。ひいては、情報分電盤５０Ｂを小型化することができる。
（他の実施形態）
以上、本発明を実施するための形態について説明したが、本発明は上述の実施形態に限定されることなく、種々変形して実施することができる。
【００７６】
（ａ）上記実施形態では、共通入力端子１１は電気信号を入力するための端子であったが、これに限定されるものではない。図１６に示す情報分電盤５０Ｃのように、本体１０Ｃは、電気信号を入力するための共通入力端子１１の代わりに、光信号を入力するための共通入力端子１１０を備えていてもよい。
【００７７】
この場合、共通入力端子１１０と分配器１３との間には、光信号を電気信号に変換するＯ／Ｅ部１９が接続される。また、共通入力端子１１０は、共通光ケーブル２３を介して、ＣＡＴＶシステムのヘッドエンドや、専用の受信アンテナ又は受信施設に接続される。そして、共通入力端子１１０には、ＣＡＴＶシステムから伝送されるＣＡＴＶ光信号や、専用の受信アンテナ又は受信施設から伝送されるスーパーハイビジョンいわゆる８Ｋの広帯域放送光信号が入力される。共通入力端子１１０に入力された光信号である入力信号は、Ｏ／Ｅ部１９により電気信号に変換され、分配器１３により複数の電気信号に分配される。
【００７８】
このように、共通入力端子１１０を光信号入力用の端子とすることにより、ＣＡＴＶ光信号や広帯域放送光信号から、伝送路に応じた出力信号を生成して、生成した出力信号を伝送路に出力することができる。
【００７９】
（ｂ）図１７に示す情報分電盤５０Ｄのように、電気信号が入力される共通入力端子１１と光信号が入力される共通入力端子１１０とを、それぞれ備えていてもよい。また、情報分電盤は、複数の共通入力端子１１を備えていてもよいし、複数の共通入力端子１１０を備えていてもよい。
【００８０】
（ｃ）図１７に示す情報分電盤５０Ｄのように、第１〜第３実施形態に係る情報分電盤５０，５０Ａ，５０Ｂにおける電気信号を分配する分配器１３の代わりに、光信号を分配する分配器１３Ｄを備えていてもよい。情報分電盤５０Ｄは、共通入力端子１１，１１０と、共通入力端子１１と分配器１３Ｄとの間に接続されたＥ／Ｏ部１３６と、を備える。また、情報分電盤５０Ｄは、電気信号である分配信号を出力する複数の接続端子１４の代わりに、光信号である分配信号を出力する複数の接続端子１４Ｄを備える。
【００８１】
情報分電盤５０Ｄには、共通入力端子１１及び共通入力端子１１０のいずれか一方が選択され、選択された方の入力端子から入力信号が入力される。共通入力端子１１から電気信号である入力信号が入力された場合は、入力信号はＥ／Ｏ部１３６により光信号に変換された後、分配器１３Ｄへ入力される。共通入力端子１１０から光信号である入力信号が入力された場合は、そのまま分配器１３Ｄへ入力される。分配器１３Ｄは、入力信号から光信号である複数の分配信号を生成し、生成した複数の分配信号を複数の接続端子１４Ｄへ供給する。
【００８２】
情報分電盤５０Ｄの接続端子１４Ｄには、Ｅ／Ｏユニット３０の代わりに、光ユニット３０Ｄが接続され、無線ユニット９０の代わりに無線ユニット９０Ｄが接続される。また、接続端子１４Ｄには、第１電気出力ユニット４０及び第２電気出力ユニット４０Ａの代わりに、電気出力ユニット４０Ｄが接続される。
【００８３】
光ユニット３０Ｄは、光信号である分配信号を入力する個別入力端子３２Ｄと、分配信号を出力する出力端子３１と、を備える。電気出力ユニット４０Ｄは、光信号である分配信号を入力する個別入力端子４２Ｄと、分配信号を電気信号に変換するＯ／Ｅ部と、変換された電気信号を出力する出力端子４１と、を備える。無線ユニット９０Ｄは、光信号である分配信号を入力する個別入力端子９２Ｄと、分配信号を電気信号に変換するＯ／Ｅ部と、変換された電気信号から無線信号を生成する無線送信機と、生成された無線信号を放射するアンテナ９１と、を備える。このようにしても、上記（１）〜（７）と同様の効果が得られる。
【００８４】
（ｄ）第１例、第２例、及び第４例では、本体１０は、収容部１５へ向かって突出するように設けられたノブＫｎを備えていたが、これに限らない。図１８に示すように、本体１０は、収容部１５の上面よりも上側に設けられ、収容部１５へ突出していないノブＫｎａを備えていてもよい。この場合、Ｅ／Ｏユニット３０は、必要に応じて、上面に上方に突出した凸部３５を備えていればよい。Ｅ／Ｏユニット３０の個別入力端子３２を接続端子１４に接続すると、凸部３５によりノブＫｎａが上方へ押されて、スイッチＳＷａがオフ状態からオン状態に切り替わる。他の電源供給が必要な接続ユニットＵについても同様である。
【００８５】
（ｅ）第１例、第２例、及び第４例では、接続端子１４に直流電源を重畳させて、Ｅ／Ｏユニット３０などに電源を供給していたが、これに限らない。図１９に示すように、本体１０は、接続端子１４とは別に、電源を供給するための給電用コネクタ１４２を備えていてもよい。給電用コネクタ１４２は、接続端子１４の近傍に設けておけばよい。そして、図１９に示すように、Ｅ／Ｏユニット３０Ｅは、給電用コネクタ１４２に接続される受電用コネクタ３４を備えていればよい。これにより、Ｅ／Ｏユニット３０Ｅは、給電用コネクタ１４２及び受電用コネクタ３４を介して、直接給電を受けることができる。他の電源供給が必要な接続ユニットＵについても同様である。
【００８６】
（ｆ）第１例、第２例、及び第４例では、スイッチＳＷａは、Ｅ／Ｏユニット３０などを接続端子１４に接続することで、自動的にオン状態に切り替わる構成であったが、これに限らない。スイッチＳＷａは、手動でオンオフを切り替える構成にしてもよい。つまり、ユーザが、Ｅ／Ｏユニット３０を接続端子１４に接続した後、スイッチＳＷａをオフ状態からオン状態に切り替えて給電を開始するようにしてもよい。他の電源供給が必要な接続ユニットＵについても同様である。
【００８７】
（ｇ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００８８】
１０，１０Ａ，１０Ｂ，１０Ｃ…本体、１１，１１０…共通入力端子、１２…増幅器、１３，１３Ｄ…分配器、１４，１４Ａ，１４Ｄ…接続端子、１５，１５Ｂ…収容部、１７…案内用突起、１８…開閉扉、１９，２０ｅ，６７…Ｏ／Ｅ部、２０…アンテナ、２０ａ…パラボラアンテナ、２０ｂ…ＵＨＦアンテナ、２０ｃ…電気入力端子、２０ｄ…光入力端子、２１…共通同軸ケーブル、２２…混合器、２３…共通光ケーブル、３０，３０Ｅ…Ｅ／Ｏユニット、３０Ｄ…光ユニット、３１，４１…出力端子、３２，４２，９２，３２Ｄ，４２Ｄ，９２Ｄ…個別入力端子、３３…給電用コネクタ、３４…受電用コネクタ、３５…凸部、４０…第１電気出力ユニット、４０Ａ…第２電気出力ユニット、４０Ｄ…電気出力ユニット、４３…凹部、５０，５０Ａ，５０Ｂ，５０Ｃ，５０Ｄ…情報分電盤、５１…ＰＳ用コネクタ、５３…電源回路、５４…コネクタ、５５ａ，５５ｂ，５５ｃ，５５ｄ…電源分離フィルタ、６０…個別光ケーブル、６１，７１，２１０…テレビ、６５…電源線、７０…個別同軸ケーブル、８０…終端抵抗器、９０，９０Ｄ…無線ユニット、９１…アンテナ、１００…伝送システム、１３６…Ｅ／Ｏ部、１４１…受電用コネクタ、１４２…給電用コネクタ、ＳＷａ，ＳＷｂ…スイッチ、Ｌａ，Ｌｂ…電源供給ライン、Ｋｎ，Ｋｎａ…ノブ、Ｓｐ…バネ、ＳＷａｐ…スイッチつまみ。
【図１】
2018170587.tif 000003
【図２】
2018170587.tif 000004
【図３】
2018170587.tif 000005
【図４】
2018170587.tif 000006
【図５】
2018170587.tif 000007
【図６】
2018170587.tif 000008
【図７】
2018170587.tif 000009
【図８】
2018170587.tif 000010
【図９】
2018170587.tif 000011
【図１０】
2018170587.tif 000012
【図１１】
2018170587.tif 000013
【図１２】
2018170587.tif 000014
【図１３】
2018170587.tif 000015
【図１４】
2018170587.tif 000016
【図１５】
2018170587.tif 000017
【図１６】
2018170587.tif 000018
【図１７】
2018170587.tif 000019
【図１８】
2018170587.tif 000020
【図１９】
2018170587.tif 000021